【手続補正書】
【提出日】平成16年1月19日(2004.1.19)
【手続補正１】
【補正対象書類名】明細書
【補正対象項目名】特許請求の範囲
【補正方法】変更
【補正の内容】
【特許請求の範囲】
【請求項１】
表示領域と、該表示領域に隣接した配線領域と、これら表示領域及び配線領域を囲むシール材が配置されるシール領域とを有し、前記シール材を介して貼りあわされる第１基板と第２基板とを具備する液晶装置であって、
前記第１基板上の前記表示領域及び前記配線領域に配置されたカラーフィルタを有する膜と、
前記カラーフィルタを有する膜上の前記表示領域に配置された第１電極と、
前記第２基板上の前記表示領域に配置された第２電極と、
前記第１基板上の前記配線領域に配置された前記第２電極と電気的に接続する第２配線とを具備することを特徴とする液晶装置。
【請求項２】
表示領域と、該表示領域に隣接した配線領域と、これら表示領域及び配線領域を囲むシール材が配置されるシール領域とを有し、前記シール材を介して貼りあわされる第１基板と第２基板とを具備する液晶装置であって、
前記第２基板上の前記表示領域及び前記配線領域に配置されたカラーフィルタを有する膜と、
前記第２基板上の前記カラーフィルタを有する膜上の前記表示領域に配置された第２電極と、
前記第１基板上の前記表示領域に配置された第１電極と、
前記第１基板上の前記配線領域に配置された前記第２電極と電気的に接続する第２配線とを具備することを特徴とする液晶装置。
【請求項３】
前記第１基板上の前記配線領域に配置された前記第１電極と電気的に接続する第１配線を更に具備することを特徴とする請求項１または請求項２に記載の液晶装置。
【請求項４】
前記カラーフィルタを有する膜は、カラーフィルタと、該カラーフィルタを覆う平坦化膜とを有することを特徴とする請求項１から請求項３のいずれか一項に記載の液晶装置。
【請求項５】
前記カラーフィルタを有する膜は、前記シール領域に囲まれた領域に配置されることを特徴とする請求項１から請求項４のいずれか一項に記載の液晶装置。
【請求項６】
前記第２配線は、前記第１電極よりも低抵抗の導電膜を有していることを特徴とする請求項１から請求項５のいずれか一項に記載の液晶装置。
【請求項７】
前記第２配線は、前記第１電極と同一層である導電膜と、前記第１電極よりも低抵抗の導電膜との積層膜を有することを特徴とする請求項１から請求項６のいずれか一項に記載の液晶装置。
【請求項８】
前記第２基板上には前記配線領域及び前記シール領域内をまたがって前記第２電極と電気的に接続する第３配線が配置され、
前記第２配線は前記シール領域内まで延在し、
前記第３配線と前記第２配線とは、前記シール領域に配置された導通材を介して電気的に接続されていることを特徴とする請求項１から請求項７のいずれか一項に記載の液晶装置。
【請求項９】
表示領域と、該表示領域に隣接した配線領域と、これら表示領域及び配線領域を囲むシール材が配置されるシール領域とを有し、前記シール材を介して貼りあわされる第１基板と第２基板とを具備する液晶装置であって、
前記第１基板上の前記表示領域及び前記配線領域に配置されたカラーフィルタを有する膜と、
前記カラーフィルタを有する膜上の前記表示領域に配置された画素電極と、
前記第１基板上に配置された前記画素電極に導通する第１金属膜／絶縁膜／第２金属膜の積層構造を有するＴＦＤ素子と、
前記第１基板上に配置された前記ＴＦＤ素子を介して前記画素電極と電気的に接続されたライン配線と、
前記第２基板上の前記表示領域に配置された前記画素電極に対向するストライプ状の第２電極と、
前記第１基板上の前記配線領域に配置された前記第２電極と電気的に接続する第２配線とを具備することを特徴とする液晶装置。
【請求項１０】
表示領域と、該表示領域に隣接した配線領域と、これら表示領域及び配線領域を囲むシール材が配置されるシール領域とを有し、前記シール材を介して貼りあわされる第１基板と第２基板とを具備する液晶装置であって、
前記第２基板上の前記表示領域及び前記配線領域に配置されたカラーフィルタを有する膜と、
前記第２基板上の前記カラーフィルタを有する膜上の前記表示領域に配置されたストライプ状の第２電極と、
前記第１基板上の前記表示領域に配置された前記第２電極に対向配置された画素電極と、
前記第１基板上に配置された各前記画素電極に導通する第１金属膜／絶縁膜／第２金属膜の積層構造を有するＴＦＤ素子と、
前記第１基板上に配置された前記ＴＦＤ素子を介して前記画素電極と電気的に接続されたライン配線と、
前記第１基板上の前記配線領域に配置された前記第２電極と電気的に接続する第２配線とを具備することを特徴とする液晶装置。
【請求項１１】
表示領域と、該表示領域に隣接した配線領域と、これら表示領域及び配線領域を囲むシール材が配置されるシール領域とを有し、前記シール材を介して貼りあわされる第１基板と第２基板とを具備する液晶装置の製造方法であって、
前記第１基板上の前記表示領域及び前記配線領域にカラーフィルタを有する膜を形成する工程と、
前記カラーフィルタを有する膜上の前記表示領域に第１電極を形成する工程と、
前記第１基板上の前記配線領域に第２配線を形成する工程と、
前記第２基板上の前記表示領域に第２電極を形成する工程と、
前記第２基板上の前記配線領域に一端部が前記第２電極と電気的に接続する第３配線を形成する工程と、
前記カラーフィルタを有する膜、前記第１電極及び前記第２配線が形成された前記第１基板または前記第２電極および前記第３配線が形成された前記第２基板の前記シール領域に導通材を有するシール材を塗布する工程と、
前記シール材塗布後、前記第１基板と前記第２基板とを、前記第１電極及び前記第２電極が対向するように配置して前記シール材により貼り合せ、前記導通材を介して前記第３配線の他端部と前記第２配線とを電気的に接続する工程と、
を具備することを特徴とする液晶装置の製造方法。
【請求項１２】
表示領域と、該表示領域に隣接した配線領域と、これら表示領域及び配線領域を囲むシール材が配置されるシール領域とを有し、前記シール材を介して貼りあわされる第１基板と第２基板とを具備する液晶装置の製造方法であって、
前記第２基板上の前記表示領域及び前記配線領域にカラーフィルタを有する膜を形成する工程と、
前記第２基板上の前記カラーフィルタを有する膜上の前記表示領域に第２電極を形成する工程と、
前記第２基板上の前記配線領域に一端部が前記第２電極と電気的に接続する第３配線を形成する工程と、
前記第１基板上の前記表示領域に第１電極を形成する工程と、
前記第１基板上の前記配線領域に第２配線を形成する工程と、
前記第１電極及び前記第２配線が形成された前記第１基板または前記カラーフィルタを有する膜、前記第２電極および前記第３配線が形成された前記第２基板の前記シール領域に導通材を有するシール材を塗布する工程と、
前記シール材塗布後、前記第１基板と前記第２基板とを、前記第１電極及び前記第２電極が対向するように配置して前記シール材により貼り合せ、前記導通材を介して前記第３配線の他端部と前記第２配線とを電気的に接続する工程と、
を具備することを特徴とする液晶装置の製造方法。
【請求項１３】
前記カラーフィルタを有する膜は、カラーフィルタと、該カラーフィルタを覆う平坦化膜とを有することを特徴とする請求項１１または請求項１２に記載の液晶装置の製造方法。
【請求項１４】
前記カラーフィルタを有する膜は、前記シール領域に囲まれた領域に形成されることを特徴とする請求項１１から請求項１３のいずれか一項に記載の液晶装置の製造方法。
【請求項１５】
請求項１から請求項１０のいずれか一項に記載の液晶装置と、該液晶装置を挟持する筐体とを有する電子機器。